(57)【要約】【課題】短時間に選局サーチを完了しデジタル放送信号の受信可能なチャンネル情報を得ることができるチューナを提供する。【解決手段】チューナ２２には、チューナ入力端子２２ａからチューナ出力端子２２ｂに向かって順に、デジタル放送の受信信号が入力されるＡＧＣ増幅器２７、混合器２９、受信チャンネルより狭い帯域としたフィルタ３１、ＡＧＣ増幅器３２、受信チャンネルより狭い帯域でデジタル放送信号の一部の信号を通過させるフィルタ３３、混合器２９の出力信号が入力されＡＧＣ増幅器２７を利得制御する利得制御器３５、ＡＧＣ増幅器３１ａの出力信号が供給されＡＧＣ増幅器３２を利得制御する利得制御器３６、利得制御器３６から出力される第１のＡＧＣ電圧を第１のＡＧＣ基準電圧と比較したデジアナ判定信号が出力されるＡＧＣ電圧判定器３７とが設けられ、ＡＧＣ電圧判定器３７からのデジアナ判定信号によりデジタル放送信号か否かを判定する。【選択図】図１
2007208681.tif 000002
【特許請求の範囲】
【請求項１】
デジタル放送信号およびアナログ放送信号を含む高周波信号を受信する受信動作と、前記高周波信号をサーチする選局サーチ動作を有するチューナにおいて、前記チューナは、前記高周波信号が入力されるチューナ入力端子と、このチューナ入力端子に入力された前記高周波信号が一方の入力に供給されるとともに他方の入力に第１の発振器の発振信号が供給される第１の混合器と、この第１の混合器からの出力信号が供給される第１のフィルタと、この第１のフィルタからの出力信号が供給されるとともに第１の利得制御入力により利得制御される第１のＡＧＣ（自動利得制御）増幅器と、この第１のＡＧＣ増幅器の出力信号が供給されるチューナ出力端子と、前記第１のＡＧＣ増幅器の出力信号が前記第１の利得制御入力に供給される第１の利得制御器とを備え、前記第１のフィルタは、受信チャンネルの帯域幅を有する第２のフィルタと、前記受信チャンネルより狭い帯域幅を有する第３のフィルタと、これら第２、第３のフィルタのどちらか一方を選択できる切替スイッチと、この切替スイッチを制御する切替制御信号が入力される切替制御信号入力端子と、前記第１の利得制御器の出力が一方の入力に供給されるとともに、他方の入力には予め定められた第１のＡＧＣ基準電圧が入力されるＡＧＣ電圧判定器と、このＡＧＣ電圧判定器の出力が接続された判定端子とを設け、前記切替制御入力端子から入力される前記切替制御信号が受信動作時には前記第２のフィルタが選択され、前記切替制御入力端子から入力される前記切替制御信号が選局サーチ時には前記第３のフィルタが選択されるとともに前記ＡＧＣ電圧判定器からはデジタル放送信号かアナログ放送信号かを判定するデジタルアナログ判定信号が前記判定端子から出力されるチューナ。
【請求項２】
第３のフィルタは、異なる中心周波数を有する複数個の固定フィルタから構成され、選局サーチ時にこれら複数個の固定フィルタのいずれか１つが選択される請求項１に記載のチューナ。
【請求項３】
第３のフィルタは、中心周波数が可変可能なフィルタとした請求項１に記載のチューナ。
【請求項４】
ＡＧＣ電圧判定器には、第１のＡＧＣ基準電圧を外部から設定できる第１の入力端子が設けられた請求項１に記載のチューナ。
【請求項５】
第１のＡＧＣ増幅器とチューナ出力端子との間に第２の利得制御入力により利得制御される第２のＡＧＣ増幅器を接続し、この第２のＡＧＣ増幅器の出力の出力信号が前記第２の利得制御入力に供給される第２の利得制御器を接続し、前記第２の利得制御器から出力される第２のＡＧＣ電圧がＡＧＣ電圧判定器の第２の入力に供給され、選局サーチ時に、切替スイッチにより前記第２のフィルタを選択するとともに、前記ＡＧＣ電圧判定器は第１、第２のＡＧＣ電圧を予め定められた第１、第２のＡＧＣ基準電圧とそれぞれ比較判定し、この比較判定結果に基づいてデジタル放送信号あるいはアナログ放送信号かを判定してデジアナ判定信号を出力する請求項１に記載のチューナ。
【請求項６】
ＡＧＣ電圧判定器には、第２のＡＧＣ基準電圧を外部から設定できる第２の入力端子が設けられた請求項５に記載のチューナ。
【請求項７】
第１のＡＧＣ増幅器の出力と第２のＡＧＣ増幅器の入力との間に一方の入力と出力がそれぞれ接続された第２の混合器を挿入し、前記第２の混合器の他方の入力に第２の発振器を接続した請求項５に記載のチューナ。
【請求項８】
第２の混合器にＩ／Ｑ信号用としてそれぞれ第３、第４の混合器から構成され、第２の利得制御器の入力には第１の混合器からの出力信号に代わって前記第３、第４の混合器のいずれか一方からの出力信号を供給した請求項５に記載のチューナ。
【請求項９】
第１の混合器は第５、第６の混合器からなるイメージリジェクションミキサとするとともに第２の利得制御器の入力には前記第１の混合器からの出力信号に代わって前記第５、第６の混合器のいずれか一方からの出力信号を供給した請求項１に記載のチューナ。
【請求項１０】
第１の混合器はＩ／Ｑ信号用としてそれぞれ第７、第８の混合器から構成され、第２の利得制御器の入力には前記第１の混合器からの出力信号に代わって前記第７、第８の混合器のいずれか一方からの出力信号を供給した請求項１に記載のチューナ。
【請求項１１】
入力端子と第１の混合器の一方の入力との間に第３の利得制御入力により利得制御される第３のＡＧＣ増幅器を接続し、前記第１の混合器の出力と前記第３の利得制御入力との間に第３の利得制御器を接続し、この第３の利得制御器から出力される第３のＡＧＣ電圧により第３のＡＧＣ増幅器が利得制御される請求項１に記載のチューナ。
【請求項１２】
第１のフィルタは、国内音声デジタル方法の１セグメントを通過させる帯域幅とし、音声デジタル放送信号か否かを判定するデジタル判定信号を出力する国内音声デジタル放送を受信できる請求項１に記載のチューナ。
【請求項１３】
請求項１に記載のチューナの出力信号が供給されるＢＥＲ（誤り訂正率）検出器と、このＢＥＲ検出器から出力されるＢＥＲ検出信号が予め定められたＢＥＲ基準値と比較されてＢＥＲ判定信号を出力するＢＥＲ判定器と、前記ＢＥＲ判定信号とデジアナ判定信号とが供給される選局制御器と、この選局制御器に接続されたメモリとを設け、選局サーチにより得られたデジタル放送チャンネルを前記メモリに記憶させる高周波受信装置。
【請求項１４】
チューナからの出力信号が供給されるＡ／Ｄコンバータと、このＡ／Ｄコンバータからの出力信号が供給されるとともに希望信号のみ通過させるデジタルフィルタと、このデジタルフィルタから出力される希望信号が供給される復調器とを設け、第１の利得制御器の入力には第１のＡＧＣ増幅器の出力信号に代わって前記デジタルフィルタからの出力信号が供給される請求項１３に記載の高周波受信装置。
【請求項１５】
請求項１に記載のチューナの出力信号が供給されるとともに同期信号を判定する同期判定信号を出力する同期信号判定器と、前記同期判定信号とデジアナ判定信号とが供給される選局制御器と、この選局制御器に接続されたメモリとを設け、選局サーチにより得られたアナログ放送チャンネルを前記メモリに記憶させる高周波受信装置。
【請求項１６】
請求項１に記載のＡＧＣ電圧判定器から出力されるデジアナ判定信号が供給されるとともに発振器を制御する選局制御器と、この選局制御器に接続されたメモリとを設け、選局サーチにより得られたデジタル放送チャンネルまたはアナログ放送チャンネルを前記メモリに記憶させる高周波受信装置。
【発明の詳細な説明】
【技術分野】
【０００１】
本発明は、選局サーチ時において、デジタル放送あるいはアナログ放送信号の受信可能なチャンネルを把握するチューナとこれを用いた高周波受信装置に関するものである。
【背景技術】
【０００２】
以下、従来の高周波受信装置について説明する。図１０に示すように、従来の高周波受信装置１は、チューナ２と、このチューナ２の出力に接続されたデジタル復調部３と、チューナ２とデジタル復調部３を制御する選局制御部４で構成されている。
【０００３】
チューナ２には、このチューナ２に設けられたチューナ入力端子２ａからチューナ出力端子２ｂに向かって順にＡＧＣ増幅器５と、混合器６と、フィルタ７と、ＡＧＣ増幅器８が設けられている。
【０００４】
このように構成されたチューナ２では、アンテナ１０で受信したデジタル放送信号は、チューナ入力端子２ａに入力され、混合器６の一方に入力される。この混合器６の他方には、選局制御部４に設けられた選局制御器１４により発振周波数が制御された発振器１１の出力信号が入力されている。これにより、混合器６からは、選局されるとともに周波数変換された中間周波信号が出力される。この出力信号は、ＡＧＣ増幅器５、８により、一定レベルになるように利得制御されたものであり、チューナ出力端子２ｂから出力される。
【０００５】
このチューナ出力端子２ｂから出力されたデジタル放送信号は、デジタル復調部３に入力される。このデジタル復調部３に設けられたＢＥＲ（誤り訂正率）検出器１２からは、ＢＥＲ検出信号が出力される。
【０００６】
このＢＥＲ検出信号は、選局制御部４に設けられたＢＥＲ判定器１３に入力される。このＢＥＲ判定器１３からは、予め定められた基準のＢＥＲ値より良好かどうかのＢＥＲ判定信号が出力される。
【０００７】
このようにして、選局制御部４により選局サーチの動作が行われるとともに、ＢＥＲ判定器１３からのＢＥＲ判定信号によりデジタル放送信号の受信可能なチャンネルを把握できる。そして、この受信可能なチャンネルがメモリ１６に順次記憶されるのであった。
【０００８】
なお、この出願の発明に関連する先行技術文献情報としては、例えば、特許文献１が知られている。
【特許文献１】特開２００３−３３３４４１号公報
【発明の開示】
【発明が解決しようとする課題】
【０００９】
しかしながら、従来の高周波受信装置１では、選局サーチ時において、デジタル放送の受信可能なチャンネルをＢＥＲ判定器１３により検出していた。
【００１０】
特に、近年導入されたデジタル放送信号とアナログ放送信号とが混在しており、選局の度にそのＢＥＲを計算しなければならず、判定に時間がかかるという問題があった。
【００１１】
そこで、本発明は、この問題を解決したもので、短時間において選局サーチを完了してデジタル放送信号の受信可能なチャンネル情報を得ることができるチューナとこれを用いた高周波受信装置を提供することを目的としたものである。
【課題を解決するための手段】
【００１２】
この目的を達成するために本発明の混合器に接続される第１のフィルタは、受信チャンネルの帯域幅を有する第２のフィルタと、受信チャンネルより狭い帯域幅を有する第３のフィルタと、これら第２、第３のフィルタのどちらか一方を選択できる切替スイッチと、この切替スイッチを制御する切替制御信号が入力される切替制御信号入力端子と、第１の利得制御器の出力が一方の入力に供給されるとともに、他方の入力には予め定められた第１のＡＧＣ基準電圧が入力されるＡＧＣ電圧判定器と、このＡＧＣ電圧判定器の出力が接続された判定端子とを設け、前記切替制御入力端子から入力される前記切替制御信号が受信動作時には前記第２のフィルタが選択され、前記切替制御入力端子から入力される前記切替制御信号が選局サーチ時には前記第３のフィルタが選択されるとともに前記ＡＧＣ電圧判定器からはデジタル放送信号かアナログ放送信号かを判定するデジタルアナログ判定信号が前記判定端子から出力されるものである。
【００１３】
これにより、短時間に選局サーチを完了してデジタル放送信号のみならずアナログ放送信号の受信可能なチャンネルを得ることができる。
【発明の効果】
【００１４】
以上のように本発明の混合器に接続される第１のフィルタは、受信チャンネルの帯域幅を有する第２のフィルタと、受信チャンネルより狭い帯域幅を有する第３のフィルタと、これら第２、第３のフィルタのどちらか一方を選択できる切替スイッチと、この切替スイッチを制御する切替制御信号が入力される切替制御信号入力端子と、第１の利得制御器の出力が一方の入力に供給されるとともに、他方の入力には予め定められた第１のＡＧＣ基準電圧が入力されるＡＧＣ電圧判定器と、このＡＧＣ電圧判定器の出力が接続された判定端子とを設け、前記切替制御入力端子から入力される前記切替制御信号が受信動作時には前記第２のフィルタが選択され、前記切替制御入力端子から入力される前記切替制御信号が選局サーチ時には前記第３のフィルタが選択されるとともに前記ＡＧＣ電圧判定器からはデジタル放送信号かアナログ放送信号かを判定するデジタルアナログ判定信号が前記判定端子から出力されるものである。
【００１５】
これにより、選局サーチ時にＡＧＣ電圧判定器を用いて、第１の利得制御器からの第１のＡＧＣ電圧を予め定められた第１のＡＧＣ基準電圧と電圧比較を行うことにより、デジタル放送信号かアナログ放送信号かの判定を行うものである。
【００１６】
このように、第１のＡＧＣ電圧を用いて電圧判定を行うので、短時間に選局サーチを完了することができる。従って、デジタル放送信号あるいはアナログ放送信号の受信可能なチャンネルをメモリに記憶させれば、視聴したいチャンネルを容易に選択することができる。
【発明を実施するための最良の形態】
【００１７】
（実施の形態１）
以下、本発明の実施の形態について、図面を用いて説明する。図１は、実施の形態１におけるデジタル放送信号およびアナログ放送信号を受信する高周波受信装置２１のブロック図である。この高周波受信装置２１は、チューナ２２と、このチューナ２２を制御する選局制御部２４から構成されている。
【００１８】
最初に、チューナ２２の構成について説明する。このチューナ２２には、アンテナ２５が接続されたチューナ入力端子２２ａと、チューナ２２の出力信号が供給されるチューナ出力端子２２ｂとが設けられている。このチューナ入力端子２２ａとチューナ出力端子２２ｂとの間には、チューナ入力端子２２ａから順に、妨害信号を抑圧するフィルタ２６と、利得制御入力２７ａにより利得制御の可能なＡＧＣ増幅器２７と、妨害信号を抑圧するフィルタ２８と、このフィルタ２８の出力が一方の入力に接続された混合器２９と、この混合器２９の出力に接続されるとともに希望チャンネルの帯域幅あるいは希望チャンネルより狭い帯域幅を選択できるフィルタ３１と、利得制御入力３２ａにより利得制御の可能なＡＧＣ増幅器３２と、希望信号を通過させるフィルタ３３とが設けられている。
【００１９】
また、混合器２９の他方の入力には、発振器３８の出力が接続されている。この発振器３８を形成する同調回路には、ＰＬＬ回路４１から出力される制御電圧が供給され、発振器３８の発振周波数が決定される。
【００２０】
混合器２９の出力と利得制御入力２７ａの間には、利得制御器３５が接続されている。また、フィルタ３３の出力と利得制御入力３２ａの間には、利得制御器３６が設けられている。
【００２１】
この利得制御器３６から出力される第１のＡＧＣ電圧は、ＡＧＣ電圧判定器３７の入力３７ａに供給される。このＡＧＣ電圧判定器３７の入力３７ｂには、第１のＡＧＣ電圧を比較判定するための第１のＡＧＣ基準電圧が入力される入力端子２２ｃが接続されている。
【００２２】
なお、ＰＬＬ回路４１から出力される制御電圧は、フィルタ２６、２８の同調回路に供給（図示せず）することにより、同調周波数を可変してもよい。
【００２３】
次に、選局制御部２４の構成について説明する。選局制御部２４は、ＡＧＣ電圧判定器３７から出力されるデジタルアナログ信号（判定信号）が出力３７ｃが判定端子２２ｅを介して、入力４３ａに接続された選局制御器４３と、この選局制御器４３の入力４３ｂに接続されたメモリ４５と、選局制御器４３の入力４３ｃに接続された受信動作のための命令データと、受信動作と選局サーチ動作を指定する命令データが入力されるデータ入力端子２４ａとから構成されている。
【００２４】
以上のように構成された高周波受信装置２１の動作について、図１を用いて説明する。先ず、データ入力端子２４ａから選局サーチの命令データが入力されると、選局制御器４３の出力４３ｄから選局データが順次ＰＬＬ回路４１に向けて出力される。このＰＬＬ回路４１では、入力された選局サーチの命令データに基づいて発振器３８から出力される発振周波数を制御する。なお、このＰＬＬ回路４１の切替制御入力端子２２ｄに入力される信号には、切替制御信号が含まれている。
【００２５】
一方、アンテナ２５（ケーブルであっても良い）で受信したデジタル放送信号およびアナログ放送信号を含む高周波信号は、入力端子２２ａを介してフィルタ２６に入力される。このフィルタ２６は、希望するチャンネル信号とこれに近接したチャンネル信号が選択される。このフィルタ２６からの出力信号は、ＡＧＣ増幅器２７により利得制御される。
【００２６】
このＡＧＣ増幅器２７からの出力信号は、フィルタ２８に入力される。このフィルタ２８では、フィルタ２６より更に通過帯域が狭帯域のフィルタであり、略希望するチャンネルのみが選択される。なお、これらフィルタ２６、２８は、例えばバリキャップダイオードを用いて容量値を可変し、受信チャンネルを選択してもよい。
【００２７】
このフィルタ２８からの出力信号は、混合器２９の一方の入力に供給される。また、混合器２９の他方の入力には、発振器３８の発振信号が供給される。これにより、混合器２９からは、中間周波信号が出力される。この中間周波信号は、利得制御器３５を介して利得制御入力２７ａに供給されている。これにより、混合器２９の出力レベルが予め設定された一定値になるように、ＡＧＣ増幅器２７が利得制御される。
【００２８】
そして、混合器２９から出力される中間周波信号は、フィルタ３１により希望信号が選択される。この希望信号は、ＡＧＣ増幅器３２に入力される。このＡＧＣ増幅器３２からの出力信号は、フィルタ３３により希望信号が選択されて出力端子２２ｂから出力されるとともに、利得制御器３６に入力される。この利得制御器３６からの出力信号は、ＡＧＣ増幅器３２の利得制御入力３２ａに供給される。これにより、ＡＧＣ増幅器３２は利得制御される。
【００２９】
このようにして、弱電界から強電界の高周波信号がチューナ入力端子２２ａに入力されたとしても、ＡＧＣ増幅器２７、３２により利得制御が行われる。これにより、略一定のレベルがチューナ出力端子２２ｂから出力することが可能となる。
【００３０】
図２（ａ）は、デジタル放送信号を受信した場合の混合器２９から出力されるデジタル放送信号５５の波形である。図２（ａ）において、横軸５１は周波数（ＭＨｚ）であり、縦軸５２は、混合器２９から出力される信号のレベルである。このデジタル放送信号５５は、６ＭＨｚの帯域幅５６の全域に渡って略同一のレベルで変調信号を有している。
【００３１】
図２（ｂ）は、アナログ放送信号を受信した場合の混合器２９から出力されるアナログ放送信号５７の波形である。なお、発振器３８の発振周波数は、高周波信号より中間周波数（例えば５０ＭＨｚ）だけ高い周波数としている。このため、映像搬送波は５８．７５ＭＨｚとなり、音声搬送波は、５４．２５ＭＨｚとして表される。
【００３２】
図２（ｂ）において、アナログ放送信号５７は、映像搬送波５７ａ（５８．７５ＭＨｚ）、中心周波数５７ｂ（５６．５ＭＨｚ）、音声搬送波５７ｃ（５４．２５ＭＨｚ）を有している。一般的に、音声搬送波５７ｃのレベルは、映像搬送波５７ａのレベルよりおよそ１０ｄＢ以上小さい。
【００３３】
図２（ｃ）は、妨害信号として単一周波数の妨害信号を受信した場合の混合器２９から出力される妨害信号５９の波形である。図２（ｃ）において、妨害信号５９の存在する場所は不定である。
【００３４】
このように高周波信号の種類によって特徴のある波形をしているので、この波形に注目すれば、入力端子２２ａに入力された高周波信号の種類を判定することができる。すなわち、混合器２９の出力に接続されているフィルタ３１は、通常の受信動作では、希望信号の帯域幅５６（略６ＭＨｚ）を有する図２（ｄ）に示すフィルタ６０が選択されるが、選局サーチ時においては、帯域幅５００ＫＨｚ程度のフィルタ６１ａ、６１ｂ、６１ｃのいずれかが選択される。
【００３５】
図２（ｅ）は、これら３つのフィルタ６１ａ、６１ｂ、６１ｃの通過特性図である。その内１つのフィルタ６１ａの中心周波数はアナログ放送信号５７の映像搬送波５７ａ（５８．７５ＭＨｚ）と略等しくする。２個目のフィルタ６１ｂの中心周波数は、アナログ放送信号５７の中心周波数５７ｂ（５６．５ＭＨｚ）と略等しくしている。３個目のフィルタ６１ｃの中心周波数は、アナログ放送信号５７の音声搬送波５７ｃ（５４．２５ＭＨｚ）の周波数と略等しくする。
【００３６】
図３は、選局サーチ時におけるＡＧＣ電圧判定器３７で行う高周波信号の判定の説明図である。混合器２９の出力に接続されるフィルタ３１において、フィルタ６１ａ、６１ｂ、６１ｃのいずれかが選択される。この場合に、高周波信号の種類に応じてフィルタ６１ａ、６１ｂ、６１ｃから信号が出力される場合を○で表し、出力されない場合を−で表している。
【００３７】
デジタル放送信号５５が入力された場合について説明する。図２（ａ）より明らかなように、デジタル放送信号５５は、その信号帯域内にほぼ同一のレベルの信号を有している。このため、フィルタ６１ａ、フィルタ６１ｂ、フィルタ６１ｃのいずれのフィルタが選択されたとしても、デジタル放送信号の一部の信号が出力される。これにより、デジタル放送信号５５が入力されたと判定できる。
【００３８】
次に、アナログ放送信号５７が入力された場合について説明する。アナログ放送信号５７は、図２（ｂ）より明らかなように、映像搬送波５７ａと音声搬送波５７ｃの信号が特に大きい。このため、フィルタ６１ａ、フィルタ６１ｃからは映像搬送波５７ａ、音声搬送波５７ｃの信号がそれぞれ出力され、フィルタ６１ｂからは信号が出力されない。この場合はアナログ放送信号５７が入力されたと判定できる。
【００３９】
なお、このアナログ放送信号５７の場合、フィルタ６１ａから出力されるレベルの方がフィルタ６１ｃから出力されるレベルより大きいという条件も入れることにより、より正確にアナログ放送信号５７を判別することができる。
【００４０】
その他の組み合わせの場合は、全て妨害信号と判定することができ、デジタル放送信号あるいはアナログ放送信号ではないと判定できる。具体的には、以下の３つのパターンが存在する。即ち、妨害信号５９ａに示すようにフィルタ６１ａにのみ出力信号があってその他のフィルタ６１ｂ、フィルタ６１ｃに出力信号がない場合と、妨害信号５９ｂに示すようにフィルタ６１ｂにのみ出力信号があってその他のフィルタ６１ａ、フィルタ６１ｃに出力信号がない場合と、妨害信号５９ｃに示すようにフィルタ６１ｃにのみ出力信号があってその他のフィルタ６１ａ、フィルタ６１ｂに出力信号がない場合とである。
【００４１】
以上のように本実施の形態において、選局サーチ時においては、３個のフィルタ６１ａ、６１ｂ、６１ｃの論理積条件により、高周波信号の種類を判別しているので、高速かつ正確に高周波信号の種類を判別することができる。
【００４２】
次に、３個のフィルタ６１ａ、６１ｂ、６１ｃのうち２個のフィルタを用いて、デジタル放送信号５５とアナログ放送信号５７とを判定する２つの方法について述べる。
【００４３】
１つ目は、フィルタ６１ａ、フィルタ６１ｂの２つのフィルタを用いる場合である。すなわち、デジタル放送信号では、フィルタ６１ａ、６１ｂともに出力信号があり、アナログ放送信号では、フィルタ６１ａに出力信号があり、フィルタ６１ｂには出力信号がない。この違いにより判定が可能となる。なお、この場合には、妨害信号５９ａの判定はできない。
【００４４】
２つ目は、フィルタ６１ｂとフィルタ６１ｃの二つのフィルタを用いる場合である。すなわち、デジタル放送信号では、フィルタ６１ｂ、６１ｃともに出力信号があり、アナログ放送信号では、フィルタ６１ｂに出力信号がなく、フィルタ６１ｃに出力信号がある。この違いにより判定が可能となる。なお、この場合には妨害信号５９ｃの判定はできない。
【００４５】
以上のように、２個のフィルタ６１ａ、６１ｂ或いはフィルタ６１ｂ、６１ｃの論理積条件で高周波信号の種類を判別することができるので、３個のフィルタ６１ａ、６１ｂ、６１ｃを用いた場合に比べて小型化と低価格化を図ることができる。
【００４６】
図４（ａ）は、フィルタ３１の具体的な回路ブロック図である。図４（ａ）において、フィルタ３１は、帯域幅５６（略６ＭＨｚ）を有するフィルタ６０と、５００ＫＨｚの帯域幅をそれぞれ有するフィルタ６１ａ、６１ｂ、６１ｃと、これらフィルタ６０、６１ａ、６１ｂ、６１ｃのそれぞれの入力が接続された切替スイッチ６３ａと、これら６０、６１ａ、６１ｂ、６１ｃのそれぞれの出力が接続された切替スイッチ６３ｂと、切替スイッチ６３ａ、６３ｂの共通端子がそれぞれ接続された入力端子３１ｂ、出力端子３１ｃと、切替スイッチ６３ａ、６３ｂを制御するための制御端子３１ａとから構成されている。
【００４７】
このように構成されたフィルタ３１の動作について以下説明する。制御端子３１ａから入力された制御データにより、切替スイッチ６３ａ、６３ｂを連動して制御する。これら切替スイッチ６３ａ、６３ｂにより、フィルタ６０、６１ａ、６１ｂ、６１ｃのいずれか一つが入力端子３１ｂ、出力端子３１ｃに接続される。
【００４８】
この場合、フィルタ６１ａ、６１ｂ、６１ｃには通過周波数を固定としたフィルタを用いることができる。このため、例えば５００ＫＨｚの帯域幅を通過する信号を確実に選択できるので、安定した性能を得ることができる。
【００４９】
図４（ｂ）は、フィルタ３１の代わりに用いることができるフィルタ６４の回路ブロックの図である。なお、図４（ａ）で使用した部品について、図４（ｂ）と同じものについては同一の番号を付して説明を簡略化している。
【００５０】
図４（ｂ）において、フィルタ６４は、帯域幅５６（略６ＭＨｚ）を有するフィルタ６０と、バリキャップダイオードを用いて中心周波数を任意の周波数に可変できるフィルタ６１ｄと、このフィルタ６１ｄに同調用電圧を与えるための同調電圧端子３１ｄと、これらフィルタ６０、６１ｄのそれぞれの入力が接続された切替スイッチ６５ａと、これらフィルタ６０、６１ｄのそれぞれの出力が接続された切替スイッチ６５ｂと、切替スイッチ６５ａ、６５ｂの共通端子がそれぞれ接続された入力端子３１ｂ、出力端子３１ｃと、切替スイッチ６３ａ、６３ｂを連動して制御するための制御端子３１ａとから構成されている。
【００５１】
このように構成されたフィルタ６４の動作についてフィルタ３１と異なる部分について以下説明する。このフィルタ６１ｄの中心周波数は、同調電圧端子３１ｄに供給される同調電圧により可変できる。この同調電圧を３段階の同調電圧をフィルタ６１ｄに加えることにより、フィルタ６１ａ、６１ｂ、６１ｃに相当するフィルタ特性を実現できる。これにより、フィルタ６１ａ、６１ｂ、６１ｃは、１個のフィルタ６１ｄとできるので、小型化を実現することができる。
【００５２】
また、フィルタ６１ｄの中心周波数を同調電圧により自由に可変できるので、任意の出力での出力信号の有無を検出できる。このため、ＡＧＣ電圧判定器３７による高周波信号の種類の判定をより精度良く行うことができる。
【００５３】
なお、同調電圧端子３１ｄに供給される同調電圧は、選局制御器４３の出力４３ｄからの制御データに基づいてＰＬＬ回路４１から出力される。
【００５４】
次に、このＡＧＣ電圧判定器３７を用いたサーチ選局時における高周波信号の判定動作について、図５（ａ）、（ｂ）を用いて以下説明する。なお、フィルタ３１は、一例として、中心周波数５７ｂを有するフィルタ６１ｄを選択しているものとする。
【００５５】
図５（ａ）は、サーチ選局時において、デジタル放送信号レベルに対するＡＧＣ増幅器２７、３２のそれぞれ第３、第１のＡＧＣ電圧の図である。
【００５６】
図５（ａ）において、７１はチューナ入力端子２２ａへのデジタル放送信号レベル（ｄＢｍ）である。従って、ＡＧＣ増幅器２７、３２のそれぞれ第３、第１のＡＧＣ電圧は、チューナ入力端子２２ａにおける信号レベルとしている。また、７２は、ＡＧＣ電圧（Ｖ）である。
【００５７】
なお、ＡＧＣ増幅器２７の利得制御範囲は、０〜−６０ｄＢｍとし、ＡＧＣ電圧が大きい場合を利得最大としている。また、ＡＧＣ増幅器２７の利得制御範囲は、−６０ｄＢｍ以下とし、第１のＡＧＣ電圧７４が大きい場合を利得最大としている。
【００５８】
７３は、デジタル放送信号レベルに対するＡＧＣ増幅器２７の第３のＡＧＣ電圧である。この第３のＡＧＣ電圧７３は、−６０ｄＢｍ（位置７３ａ）の信号レベル以上において変化している。この第３のＡＧＣ電圧７３の電圧変化により、ＡＧＣ増幅器２７の利得制御が行われて、混合器２９から出力されるデジタル放送信号レベルが予め定められた一定レベルになるように利得制御される。
【００５９】
７４は、デジタル放送信号レベルに対するＡＧＣ増幅器３２の利得制御入力への第１のＡＧＣ電圧である。この第１のＡＧＣ電圧７４は、フィルタ３３から出力されるデジタル放送信号レベルが利得制御器３６に入力されて作成される。このフィルタ３３から出力されるデジタル放送信号レベルは、図２（ａ）の斜線部で示した信号５５ａであり、デジタル放送信号５５と同じレベルとなる。
【００６０】
これにより、第１のＡＧＣ電圧７４は、−１００ｄＢｍ（位置７４ａ）から−６０ｄＢｍ（位置７４ｂ）の信号レベル内において、変化部７４ｃを有することになる。この変化部７４ｃの範囲内でＡＧＣ増幅器３２の利得制御が行われる。このようにして、チューナ入力端子２２ａへのデジタル放送信号レベルの大きさに応じて、ＡＧＣ増幅器３２、２７の順に利得制御の動作が行われる。
【００６１】
図５（ｂ）は、アナログ放送信号レベルに対するＡＧＣ増幅器２７、３２のそれぞれ第３、第１のＡＧＣ電圧の図である。なお、図５（ｂ）で使用した符号について、図５（ａ）と同じものについては同一の番号を付して説明を簡略化している。
【００６２】
アナログ放送信号では、図２（ｂ）に示すように、妨害特性を考慮して音声搬送波５７ｃの信号レベルは映像搬送波５７ａの信号レベルより１０ｄＢ以上小さくしている。そして、映像搬送波５７ａに対して映像信号を振幅変調している。このため、映像信号により振幅変調された中心周波数５７ｂの信号レベルは、映像搬送波５７ａの信号より小さいレベルとなる。例えば、映像搬送波５７ａと中心周波数５７ｂにおける信号レベル差５７ｅを、例えば３５から４０ｄＢとして以下説明する。
【００６３】
図５（ｂ）において、８３は、アナログ放送信号レベルに対するＡＧＣ増幅器２７の利得制御入力への第３のＡＧＣ電圧である。この第３のＡＧＣ電圧８３は、−６０ｄＢｍ（位置８３ａ）より大きな信号レベルにおいて変化している。この第３のＡＧＣ電圧８３の電圧変化により、ＡＧＣ増幅器２７の利得制御が行われ、混合器２９から出力されるアナログ放送信号レベルが予め定められた一定レベルになるように利得制御される。例えば、デジタル放送信号とアナログ放送信号の映像搬送波５７ａのレベルが同じレベルの場合には、第３のＡＧＣ電圧７３と第３のＡＧＣ電圧８３はほぼ同じとなる。
【００６４】
８４は、アナログ放送信号レベルに対するＡＧＣ増幅器３２の第１のＡＧＣ電圧である。この第１のＡＧＣ電圧８４は、フィルタ３３から出力されるアナログ放送信号レベルが利得制御器３６に入力されて作成される。このフィルタ３３から出力されるアナログ放送信号は、図２（ｂ）の斜線部で示した信号５７ｄである。
【００６５】
ところが、この信号５７ｄは、映像搬送波５７ａに対して、３５ｄＢから４０ｄＢ小さいレベルとなる。このため、このアナログ放送信号のＡＧＣ増幅器３２への入力信号レベルは、デジタル放送信号に比べて、３５ｄＢから４０ｄＢ小さいレベルとなる。
【００６６】
このため、ＡＧＣ増幅器３２では利得を上げる方向に動作する。すなわち、第１のＡＧＣ電圧８４の変化部８４ｃは、第１のＡＧＣ電圧７４の変化部７４ｃに比べて、３５ｄＢから４０ｄＢ大きな入力信号レベルの方に（図５（ｂ）では右側へ）移動することになる。そして、ＡＧＣ増幅器３２に対して、−６０ｄＢｍ（位置８４ｂ）より大きな信号レベルが入力されることになる。
【００６７】
ところが、−６０ｄＢｍ（位置８３ａ）より大きな信号レベルが入力されると、ＡＧＣ増幅器３２が利得制御する前に、前段にあるＡＧＣ増幅器２７が利得制御する。つまり、ＡＧＣ増幅器２７の第３のＡＧＣ電圧８３が変化することになる。このため、ＡＧＣ増幅器３２への入力レベルが大きくならないので、第１のＡＧＣ電圧８４は一定値となる。
【００６８】
このように、−１００ｄＢｍから０ｄＢｍのデジタル放送信号がチューナ２２に入力された場合には、第１のＡＧＣ電圧７４は、１．３Ｖ（位置７４ａ）から２．７Ｖ（位置７４ｂ）と大きく変化する。一方、−１００ｄＢｍから０ｄＢｍのアナログ放送信号がチューナ２２に入力された場合には、第１のＡＧＣ電圧８４は、０Ｖ（位置８４ａ）から０．７Ｖ（位置８４ｂ）しか変化しない。
【００６９】
このようにして、利得制御器３６からは、デジタル放送信号、アナログ放送信号により異なる第１のＡＧＣ電圧７４、８４がそれぞれ出力される。この異なる第１のＡＧＣ電圧７４、８４が、ＡＧＣ電圧判定器３７に入力される。このＡＧＣ電圧判定器３７では、第１のＡＧＣ電圧７４、８４が、予め設定された第１のＡＧＣ基準電圧９０と比較されて、デジタル放送信号かアナログ放送信号かの判定を行うことができる。
【００７０】
例えば、この第１のＡＧＣ基準電圧９０を１．３Ｖとすれば、いずれの入力信号レベルが入力されたとしてもデジタル放送信号かアナログ放送信号かの判定が可能となる。なお、データ入力端子２４ａにより第１のＡＧＣ基準電圧の設定を任意に設定できるので、ＡＧＣ電圧判定器３７の判定精度を向上できる。
【００７１】
また、アナログ放送信号の代わりに単一周波数の妨害信号が中心周波数５７ｂ以外に存在する場合においても同様に判定が可能である。すなわち、中心周波数付近において妨害信号が存在しないために、アナログ放送信号以上に妨害信号レベルが小さくなる。このため、図５（ｂ）の第１のＡＧＣ電圧８４の変化部８４ｃがさらに大きな信号レベルの方に（図５（ｂ）では右側へ）平行移動することになる。これにより、ＡＧＣ電圧判定器３７による判定が可能である。
【００７２】
なお、選局サーチ時のフィルタ３１の中心周波数は、図２（ｂ）の周波数５７ｂと色搬送波５７ｆの間の周波数としてもよい。この場合には、アナログ放送信号受信時のフィルタ３１の出力レベルを小さくできるので、デジタル放送信号に対するアナログ放送信号の判定が容易になる。
【００７３】
以上のように、デジタル放送信号、アナログ放送信号、単一周波数の妨害信号が混在した高周波信号がチューナ２２に入力された場合でも、混合器２９の出力信号が入力されるとともに受信チャンネルより狭い帯域幅としたフィルタ３１と、このフィルタ３１からの出力信号が入力されるＡＧＣ増幅器３２とを設け、このＡＧＣ増幅器３２を利得制御する第１のＡＧＣ電圧の大きさと第１の基準電圧とをＡＧＣ電圧判定器３７で判定する。これにより、高周波信号の種類を判別できるものである。
【００７４】
また、判定方法としてＡＧＣ電圧を用いているので、選局制御器４３で高周波信号の全帯域をスキャンしたとしても、短時間に選局サーチを完了できる。
【００７５】
このように、選局サーチにより得られたデジタル放送信号及びアナログ放送信号を順次チャンネル番号と共にメモリ４５に格納するので、視聴したい番組を容易に選択することができる。
【００７６】
さらに、従来例で用いていたＢＥＲ判定器１３が不要となるので、小型化、低価格化を実現することができる。
【００７７】
なお、フィルタ３１、３３は、通常の受信動作時に共に受信チャンネルの帯域幅とし、選局サーチ時に共に受信チャンネルより狭い帯域幅としてもよい。この場合には、例えば隣接信号等の妨害信号が、フィルタ３１、３３の両方により十分に抑圧されるので、妨害信号等による影響がなくなり、選局サーチの精度が向上する。
【００７８】
また、フィルタ３１、３３は、通常の受信動作時に共に受信チャンネルの帯域幅とし、選局サーチ時にフィルタ３３のみ受信チャンネルより狭い帯域幅としてもよい。この場合には、フィルタ３１の回路が簡素化されるので、チューナ２２の小型化が可能となる。
【００７９】
さらに、混合器２９をダイレクトコンバージョンとして用いてもよい。すなわち、混合器２９を混合器２９ａ、２９ｂとし、発振器３８の信号を互いに９０度の位相差を持たせて混合器２９ａ、２９ｂに供給し、９０度位相が進んでいる一方の混合器２９ａの出力信号を９０度遅らせて、他方の混合器２９ｂの出力信号と合成する。この合成した信号をフィルタ３１、３３の代わりに接続したローパスフィルタ４６、４７（図示せず）に入力する。選局サーチ時には、ローパスフィルタ４６、４７のカットオフ周波数を例えば５００ＫＨｚとし、利得制御器３６から出力される第１のＡＧＣ電圧を用いてＡＧＣ電圧判定器３７により高周波信号の種類を判定できる。
【００８０】
このように、ダイレクトコンバージョンとすることによって、混合器２９ａ、２９ｂ以降の周波数を低くできるので、回路構成が容易となり、集積化が容易となる。
【００８１】
さらにまた、混合器２９をＩ信号、Ｑ信号検波器として用いてもよい。すなわち、混合器２９を混合器２９ｃ、２９ｄとし、発振器３８の信号を互いに９０度の位相差を持たせて混合器２９ｃ、２９ｄに供給し、混合器２９ｃの出力にローパスフィルタ４８（図示せず）、ＡＧＣ増幅器３２ｂをこの順に接続し、混合器２９ｄの出力にローパスフィルタ４９（図示せず）、ＡＧＣ増幅器３２ｃをこの順に接続する。さらに、ローパスフィルタ４８、または４９の出力を利得制御器３６ａ（図示せず）に入力し、この利得制御器３６ａによりＡＧＣ増幅器３２ｂ、３２ｃを利得制御する。選局サーチ時には、ローパスフィルタ４６、４７のカットオフ周波数を例えば５００ＫＨｚとし、利得制御器３６からの第１のＡＧＣ電圧を用いてＡＧＣ電圧判定器３７により高周波信号の種類を判定できるものである。このように、Ｉ信号、Ｑ信号検波器とすることによって、直接検波できるので回路構成が容易となり、集積化が容易となる。
【００８２】
（実施の形態２）
以下、実施の形態２について、図６を用いて説明する。図６は、本実施の形態におけるデジタル放送信号を受信する高周波受信装置１２１のブロック図である。
【００８３】
実施の形態１の高周波受信装置２１では、チューナ２２と、このチューナ２２を制御する選局制御部２４から構成されているのに対して、本実施の形態の高周波受信装置１２１では、チューナ２２の出力端子２２ｂに接続されたデジタル復調部１２３を設けている点で異なる。なお、図６で使用した部品について、図１と同じものについては同一の番号を付して説明を簡略化している。
【００８４】
この高周波受信装置１２１は、チューナ２２と、このチューナ２２の出力端子２２ｂが接続されたデジタル復調部１２３と、チューナ２２を制御する選局制御部１２４から構成されている。
【００８５】
デジタル復調部１２３は、チューナ２２の出力端子２２ｂからの出力信号が供給されるデジタル復調器１２５と、このデジタル復調器１２５のＢＥＲ検出信号を検出するＢＥＲ検出器１２６とから構成されている。
【００８６】
選局制御部１２４は、ＢＥＲ検出器１２６からのＢＥＲ検出信号が入力されるＢＥＲ判定器１２８と、このＢＥＲ判定器１２８からのＢＥＲ判定信号が入力４３ｅに供給される選局制御器４３と、この選局制御器４３に接続されたメモリ４５とから構成されている。
【００８７】
以上のように構成された高周波受信装置１２１の動作について説明する。選局制御部１２４のデータ入力端子２４ａから選局サーチの命令データが選局制御器４３に入力される。この選局サーチの命令データに基づいて、受信チャンネルが選局されると、ＡＧＣ電圧判定器３７ではＡＧＣ利得制御器３６から出力される第１のＡＧＣ電圧が予め定められた第１のＡＧＣ基準電圧と比較され、デジタル放送信号か否かの判定が行われる。
【００８８】
このようにして、選局サーチ時に、ＡＧＣ電圧判定器３７からのデジタルアナログ判定信号に基づいてデジタル放送信号の受信可能なチャンネルをメモリ４５に書き込む。さらに、このメモリ４５に書き込まれたデジタル放送信号の受信可能なチャンネルについてのみ、ＢＥＲ判定器１２８でデジタル放送信号か否かの判定を行う。このＢＥＲ判定器１２８によりＢＥＲ基準値以上と判定されたチャンネルのみを改めてメモリ４５に書き込む。
【００８９】
このように、ＡＧＣ電圧判定器３７とＢＥＲ判定器１２８をこの順番に用いてデジタル放送信号か否かの判定を行う。このため、短時間に選局サーチを完了するとともに、デジタル放送信号か否かの精度も向上させることができる。
【００９０】
なお、ＢＥＲ検出器１２６、ＢＥＲ判定器１２８の代わりにＣ／Ｎ検出器、Ｃ／Ｎ判定器（図示せず）を用いてもよい。このようにＣ／Ｎ信号を用いた場合には、ＢＥＲ検出信号を用いた場合に比べて、より短時間に選局サーチを完了できる。
【００９１】
さらに、利得制御器３６への入力は、デジタル復調器１２５に構成されたデジタルフィルタ１２４ａ（図示せず）からの出力信号を供給してもよい。この場合には、例えば隣接信号等の妨害信号が、デジタルフィルタ１２４ａにより十分に抑圧されるので、妨害信号等による影響がなくなり、選局サーチの精度が向上する。
【００９２】
（実施の形態３）
以下、実施の形態３について、図７を用いて説明する。図７は、本実施の形態におけるアナログ放送信号を受信する高周波受信装置２２１のブロック図である。
【００９３】
実施の形態１の高周波受信装置２１では、チューナ２２と、このチューナ２２を制御する選局制御部２４とから構成されているのに対して、本実施の形態の高周波受信装置２２１では、チューナ２２の出力端子２２ｂに接続されたアナログ復調部２２３と、選局制御器２２４を設けている点で異なる。なお、図７で使用した部品について、図６と同じものについては同一の番号を付して説明を簡略化している。
【００９４】
この高周波受信装置２２１は、チューナ２２と、このチューナ２２の出力端子２２ｂが接続されたアナログ復調部２２３と、チューナ２２を制御する選局制御部２２４から構成されている。
【００９５】
アナログ復調部２２３は、チューナ２２の出力端子２２ｂからの出力信号が供給されるアナログ復調器２２５と、このアナログ復調器２２５の同期信号を検出する同期信号検出器２２６とから構成されている。
【００９６】
選局制御部２２４は、同期信号検出器２２６からの同期信号が入力される同期信号判定器２２８と、この同期信号判定器２２８からの同期判定信号が入力４３ｆに供給される選局制御器４３と、この選局制御器４３に接続されたメモリ４５とから構成されている。
【００９７】
以上のように構成された高周波受信装置２２１の動作について説明する。選局制御部２２４のデータ入力端子２４ａから選局サーチの命令データが選局制御器４３に入力される。この選局サーチの命令データに基づいて、受信チャンネルが選局されると、ＡＧＣ電圧判定器３７ではＡＧＣ利得制御器３６から出力される第１のＡＧＣ電圧が予め定められた第１のＡＧＣ基準電圧と比較され、アナログ放送信号か否かの判定が行われる。
【００９８】
このようにして、選局サーチ時に、ＡＧＣ電圧判定器３７からのデジアナ判定信号に基づいてアナログ放送信号の受信可能なチャンネルがメモリ４５に書き込まれる。このようにＡＧＣ電圧を用いた判定を行うので、瞬時に選局サーチを完了することができる。
【００９９】
さらに、このメモリ４５に書き込まれたアナログ放送信号のチャンネルについてのみ、同期信号判定器２２８でアナログ放送信号か否かの判定を行う。この判定結果に基づいて、同期信号が存在すると判定された受信可能なチャンネルのみを改めてメモリ４５に書き込む。これにより、アナログ放送信号か否かの精度を向上させることができる。
【０１００】
（実施の形態４）
以下、実施の形態４について、図８を用いて説明する。図８は、本実施の形態におけるデジタル放送信号およびアナログ放送信号を受信する高周波受信装置３２１のブロック図である。この高周波受信装置３２１は、チューナ３２２と、このチューナ３２２を制御する選局制御部２４から構成されている。
【０１０１】
実施の形態１の高周波受信装置２１では、２つのＡＧＣ増幅器２７、３２を設けているのに対して、本実施の形態の高周波受信装置３２１では、３つのＡＧＣ増幅器２７、３２、３２５を設けている点で異なる。なお、図８で使用した部品について、図１と同じものについては同一の番号を付して説明を簡略化している。
【０１０２】
チューナ３２２では、チューナ入力端子を３２２ａとし、チューナ出力端子を３２２ｂとし、フィルタ３３とチューナ出力端子３２２ｂとの間に利得制御入力３２５ａを有するＡＧＣ増幅器３２５を挿入している。
【０１０３】
また、ＡＧＣ増幅器３２５の出力と利得制御入力３２５ａとの間には、利得制御器３２６が設けられている。さらに、利得制御器３２６から出力される第２のＡＧＣ電圧はＡＧＣ電圧判定器３３７の入力３３７ｄに供給されている。
【０１０４】
そして、ＡＧＣ電圧判定器３３７の入力３３７ｅは、チューナ３２２に設けられた入力端子３２２ｃに接続されている。この入力端子３２２ｃには、第２のＡＧＣ電圧を判定するための第２の基準電圧を入力できる。
【０１０５】
以上のように構成された高周波受信装置３２１の動作について説明する。通常の受信動作時には、選局制御器４３の出力４３ｄからの選局データがＰＬＬ回路４１に送られる。また、フィルタ３１の帯域幅は、希望信号の帯域幅とされる。
【０１０６】
そして、チューナ入力端子３２２ａに入力された高周波信号は、ＡＧＣ増幅器２７、３２、３２５により利得制御が行われるとともに、混合器２９により周波数変換され、フィルタ２６、２８、３１、３３により妨害信号が十分に抑圧される。そして、チューナ出力端子３２２ｂからは、希望信号が出力される。
【０１０７】
次に、選局サーチの動作時には、選局制御器４３のデータ入力端子２４ａからの選局サーチの命令データが選局制御器４３に入力される。この選局サーチの命令データに基づいて、フィルタ３１の帯域幅を略５００ＫＨｚの帯域幅とするとともに、受信チャンネルが選局される。
【０１０８】
そして、フィルタ３１の帯域幅を５００ＫＨｚとしているので、このフィルタ３１からの出力信号レベルは、デジタル放送信号に対してアナログ放送信号では小さいレベルとなる。従って、利得制御器３６、３２６からそれぞれ出力される第１、第２のＡＧＣ電圧は、デジタル放送信号の場合とアナログ放送信号の場合において電圧の違いが発生する。これは、実施の形態１と同様である。
【０１０９】
このようにして、利得制御器３６、３２６から、第１、第２のＡＧＣ電圧がそれぞれ出力される。これら第１、第２のＡＧＣ電圧は、ＡＧＣ電圧判定器３３７において予め定められた第１、第２のＡＧＣ基準電圧とそれぞれ比較され、デジタル放送信号かアナログ放送信号かの判定が行われる。これは、単一周波数の妨害信号の場合においても同様である。
【０１１０】
なお、フィルタ３１、３３は、通常の受信動作時に共に受信チャンネルの帯域幅とし、選局サーチ時に共に受信チャンネルより狭い帯域幅としてもよい。この場合には、例えば隣接信号等の妨害信号が、フィルタ３１、３３の両方により十分に抑圧されるので、妨害信号等による影響がなくなるので、選局サーチの精度が向上する。
【０１１１】
また、フィルタ３１、３３は、通常の受信動作時に共に受信チャンネルの帯域幅とし、選局サーチ時にフィルタ３３のみ受信チャンネルより狭い帯域幅としてもよい。この場合には、フィルタ３１の回路が簡素化されるので、チューナ３２２の小型化が可能となる。
【０１１２】
以上のように、デジタル放送信号、アナログ放送信号、単一周波数の妨害信号が混在した高周波信号がチューナ３２２に入力された場合でも、混合器２９の出力信号が入力されるとともに受信チャンネルより狭い帯域幅としたフィルタ３１と、このフィルタ３１からの出力信号が入力されるＡＧＣ増幅器３２、３２５とを設け、このＡＧＣ増幅器３２、３２５をそれぞれ利得制御する第１、第２のＡＧＣ電圧の大きさによりＡＧＣ電圧判定器３３７が高周波信号の種類を判定できるものである。
【０１１３】
このように、ＡＧＣ電圧を用いて電圧判定を行うので、短時間に選局サーチを完了できる。従って、デジタル放送の受信可能なチャンネルの中から視聴したいチャンネルを容易に選択することができる。
【０１１４】
また、ＡＧＣ増幅器３２とＡＧＣ増幅器３２５との間に混合器３３１（図示せず）を挿入し、この混合器３３１から出力される信号を低い周波数（例えば２ＭＨｚ）としてもよい。この場合、混合器２９から出力される中間周波数（例えば１２５０ＭＨｚ）が入力されるフィルタ３１は、通常の受信動作時に略６ＭＨｚの帯域幅とし、選局サーチ時に５００ＫＨｚの帯域幅とする。この選局サーチ時における利得制御器３６、３２６からのそれぞれ第１、第２のＡＧＣ電圧をＡＧＣ電圧判定器３３７で判定することにより、高周波信号の種類を判定できるものである。このように、２つの混合器２９、３３１を用いることにより、混合器２９から出力される信号の周波数を高くできる。従って、フィルタ３１の小型化が可能となり、チューナの小型化が可能となる。
【０１１５】
（実施の形態５）
以下、実施の形態５について、図９を用いて説明する。図９は、本実施の形態における国内音声デジタル放送の１セグメントを受信する高周波受信装置４２１のブロック図である。
【０１１６】
実施の形態２の高周波受信装置１２１では、フィルタ３１を通常の受信動作時と選局サーチ時に帯域幅を切替えて用いるのに対して、本実施の形態の高周波受信装置４２１では、フィルタ４３１、４３３の帯域幅は、通常の受信動作時と選局サーチ時ともに、１３セグメントの中心周波数に存在する１セグメント（４２９ＫＨｚ）を通過させる狭帯域の帯域幅としている点で異なる。従って、フィルタ３３についても１セグメント（４２９ＫＨｚ）を通過させる狭帯域の帯域幅を有するフィルタ４３３としている。
【０１１７】
なお、図９で使用した部品について、図６と同じものについては同一の番号を付して説明を簡略化している。
【０１１８】
図９において、高周波受信装置４２１は、チューナ４２２と、このチューナ４２２のチューナ出力端子４２２ｂに接続されたデジタル復調部４２３と、チューナ４２２を制御する選局制御部１２４から構成されている。
【０１１９】
チューナ４２２では、チューナ入力端子を４２２ａとし、チューナ出力端子を４２２ｂとし、フィルタ４３１、４３３を１セグメント（４２９ＫＨｚ）を通過させる狭帯域の帯域幅としている。
【０１２０】
デジタル復調部４２３は、このチューナ４２２のチューナ出力端子４２２ｂに接続されたデジタル復調器４２５と、このデジタル復調器４２５からのＢＥＲ信号を検出するＢＥＲ検出器１２６から構成されている。
【０１２１】
以上のように構成された国内音声デジタル放送の１セグメントを受信する高周波受信装置４２１の動作について説明する。チューナ４２２では、１セグメント放送信号を受信するために、妨害信号に対する配慮が求められる。このため、混合器２９の出力に接続されるフィルタ４３１、４３３は、１セグメント（略４２９ＫＨｚ）を通過させる帯域幅を有したフィルタが用いられる。すなわち、１セグメント放送信号を受信するチューナ４２２では、通常の受信動作時、選局サーチ時においてもフィルタの帯域幅を変更する必要がない。
【０１２２】
このように、国内音声デジタル放送の１セグメントを受信するチューナ４２２では、フィルタ４３１、４３３共に１３セグメントの中心周波数に存在する１セグメントが選択される。従って、フィルタ４３１、４３３からの信号が入力されるＡＧＣ増幅器３２の第１のＡＧＣ電圧は、入力される高周波信号の中心周波数の信号レベルに応じた大きさとなる。この第１のＡＧＣ電圧と第１のＡＧＣ基準電圧とをＡＧＣ電圧判定器３７で比較される。
【０１２３】
これにより、１セグメントの放送信号か否かの判定が行われ、受信可能なチャンネルがメモリ４５に書き込まれる。このようにＡＧＣ電圧を用いた判定を行うので、瞬時に選局サーチを完了できる。
【０１２４】
さらに、このメモリ４５に書き込まれた１セグメントの放送チャンネルについてのみ、ＢＥＲ判定器１２８で１セグメントの放送信号か否かの判定を行う。このＢＥＲ判定器１２８によりＢＥＲ基準値以上と判定された受信可能なチャンネルのみを改めてメモリ４５に書き込む。これにより、１セグメントの放送信号か否かの精度を向上させることができる。
【０１２５】
なお、ＢＥＲ検出器１２６、ＢＥＲ判定器１２８の代わりにＣ／Ｎ検出器、Ｃ／Ｎ判定器（図示せず）を用いてもよい。このようにＣ／Ｎ信号を用いた場合には、ＢＥＲ検出信号を用いた場合に比べて、より短時間に選局サーチを完了できる。
【０１２６】
さらになお、利得制御器３６への入力は、デジタル復調器４２５に構成されたデジタルフィルタ４２４ａ（図示せず）からの出力信号を供給してもよい。この場合には、例えば隣接信号等の妨害信号が、デジタルフィルタ４２４ａにより十分に抑圧されるので、妨害信号等による影響がなくなり、選局サーチの精度が向上する。
【産業上の利用可能性】
【０１２７】
本発明にかかるチューナとこれを用いた高周波受信装置は、デジタル放送の受信可能なチャンネルを短時間に選局サーチできるテレビ機能付き高周波受信装置として有用である。
【図面の簡単な説明】
【０１２８】
【図１】本発明の実施の形態１における高周波受信装置のブロック図
【図２】（ａ）は同、混合器２９から出力されるデジタル放送信号の特性図、（ｂ）は同、混合器２９から出力されるアナログ放送信号の特性図、（ｃ）は同、混合器２９から出力される妨害信号の特性図、（ｄ）は同、通常受信時に用いるフィルタ３１の特性図、（ｅ）は同、選局サーチ時に用いるフィルタ３１の特性図
【図３】同、ＡＧＣ電圧判定器３７における判定の説明図
【図４】（ａ）は同、フィルタ３１のブロック図、（ｂ）は同、フィルタ６４のブロック図
【図５】（ａ）は同、デジタル放送信号レベルに対する第１、第２のＡＧＣ電圧の特性図、（ｂ）は同、アナログ放送信号レベルに対する第１、第２のＡＧＣ電圧の特性図
【図６】本発明の実施の形態２における高周波受信装置のブロック図
【図７】本発明の実施の形態３における高周波受信装置のブロック図
【図８】本発明の実施の形態４における高周波受信装置のブロック図
【図９】本発明の実施の形態５における高周波受信装置のブロック図
【図１０】従来の高周波受信装置のブロック図
【符号の説明】
【０１２９】
２２ａ  チューナ入力端子
２２ｂ  チューナ出力端子
２７  ＡＧＣ増幅器
２９  混合器
３１  フィルタ
３２  ＡＧＣ増幅器
３５  利得制御器
３６  利得制御器
３７  ＡＧＣ電圧判定器
３８  発振器
【図１】
2007208681.tif 000003
【図２】
2007208681.tif 000004
【図３】
2007208681.tif 000005
【図４】
2007208681.tif 000006
【図５】
2007208681.tif 000007
【図６】
2007208681.tif 000008
【図７】
2007208681.tif 000009
【図８】
2007208681.tif 000010
【図９】
2007208681.tif 000011
【図１０】
2007208681.tif 000012